(57)【要約】【課題】  この発明は、支柱への取付け作業の作業性を向上させ、地面を這う部分の幅を容易に且つ適切に取付けることができる防獣ネットを提供することを目的とする。【解決手段】  上下に長く下方に開口部４を有する筒状部４ａを、ネット１本体の下端から所定距離上方位置で左右に複数並設した。【選択図】    図１
2007074973.tif 000002
【特許請求の範囲】
【請求項１】
獣の侵入を防ぐ防獣ネットであって、
上下に長く下方に開口部を有する筒状部を、ネット本体の下端から所定距離上方位置で左右に複数並設した
防獣ネット。
【請求項２】
前記開口部より下側のネット本体の部分に、ネット本体の表裏側に互いが離反可能な第１スカート部、第２スカート部を備えた
請求項１記載の防獣ネット。
【請求項３】
前記ネット本体は、表側ネットと裏側ネットとが結合した結合部を有し、
上記結合部間が前記筒状部である
請求項１または２記載の防獣ネット。
【請求項４】
前記筒状部の途中に第２開口部が形成されるとともに、
第２開口部よりも前記防獣壁面部の上端部側にポケット部が形成された
請求項１乃至３のうちいずれか一項記載の防獣ネット。
【請求項５】
前記第２開口部の縁部の色を他の部分と異ならせた
請求項４記載の防獣ネット。
【発明の詳細な説明】
【技術分野】
【０００１】
この発明は、獣の侵入を防ぐための防獣ネットに関する。
【背景技術】
【０００２】
近年、熊、鹿、猪、アライグマ等の獣等が繁殖した結果、これらの獣によって農作物、森林等が荒らされるといった所謂獣害が今や社会問題になっている。このような獣害を防ぐために繊維ネットによる柵が用いられている。特に繊維等からなる防獣ネットは金網に比べて容易に施工することができ、コストも安価になるので、このようなネットが広く使われている。
【０００３】
また、上述した繊維ネットは、地面に対して垂直方向に延びている壁面部と、該壁面部の下端部から地上を這う部分を形成し使用されることがある（特許文献１参照）。
【０００４】
獣が敷地内に侵入しようとしてネットに近づいたとしても、前記地上を這う部分に獣の足が絡まるため、獣をネットから遠ざけることができる。
【０００５】
また、地面を掘ることを得意とする獣が、敷地周辺の地面を掘り返そうとしても、これが地上を這う部分により阻止される。従って、これらの獣はネットの下方にくぐり抜け用の通路を形成することができない。
【０００６】
【特許文献１】特開２００１−７８６４８号公報
【発明の開示】
【発明が解決しようとする課題】
【０００７】
ここで、前記特許文献１には、地上に立設された支柱により垂直方向に支持されて取付けられる防獣ネットが開示されているが、支柱へのネットの取付け方法が明確にされていない。例えば、支柱の長手方向に沿って所定の間隔毎にネットの一部を別途の紐や針金等でくくり付けて取付けを行う場合、作業に時間を要する。
【０００８】
また、取付け作業の結果、スカート部の幅が適切な長さよりも短く取付けられてしまったり、支柱毎にスカート部の幅が異なる等の不備が生じる可能性がある。
【０００９】
このような不備が生じると、十分な防獣効果が得られず、取付け作業のやり直しとなるため、作業者の負担の増大を招くことになる。このことから、前記特許文献１に開示の防獣ネットは、作業性において欠点を有する。
【００１０】
この発明は、支柱への取付け作業の作業性を向上させ、地面を這う部分の幅を容易に且つ適切に取付けることができる防獣ネットを提供することを目的とする。
【課題を解決するための手段】
【００１１】
この発明の防獣ネットは、獣の侵入を防ぐ防獣ネットであって、上下に長く下方に開口部を有する筒状部を、ネット本体の下端から所定距離上方位置で左右に複数並設したことを特徴とする。
【００１２】
この発明の一実施態様においては、前記開口部より下側のネット本体の部分に、ネット本体の表裏側に互いが離反可能な第１スカート部、第２スカート部を備えたことを特徴とする。
【００１３】
この発明の一実施態様においては、前記ネット本体は、表側ネットと裏側ネットとが結合した結合部を有し、上記結合部間が前記筒状部であることを特徴とする。
【００１４】
この発明の一実施態様においては、前記筒状部の途中に第２開口部が形成されるとともに、第２開口部よりも前記防獣壁面部の上端部側にポケット部が形成されたことを特徴とする。
【００１５】
この発明の一実施態様においては、前記第２開口部の縁部の色を他の部分と異ならせたことを特徴とする。
【発明の効果】
【００１６】
この発明によれば、作業者は、筒状部に支柱を挿入するという簡単な作業でネットの支柱への取付けを完了できる。
【００１７】
さらに、地上に露出させる支柱の長さを、筒状部の長手方向の長さに合わせることにより、地上を這う部分の幅を、ネット本体の下端からの所定距離の幅とすることが容易にできる。
【００１８】
従って、地上を這う部分の幅が適切な長さよりも短くなってしまったり、支柱毎にスカート部の幅が異なる等の不備を防止し、常に一定の幅を形成することが容易にできる。またこの結果として、支柱への取付け作業の作業性も向上する。
【発明を実施するための最良の形態】
【００１９】
この発明の一実施形態を以下図面と共に説明する。  
図１は、この発明の実施形態に係る防獣ネット１（以下、ネット１という）が支柱２により支持された状態を示す斜視図である。ネット１は、農耕地、森林等の敷地周囲に張り巡らせて、鹿、猪の等の大型の獣およびアライグマ等の小型の獣がこれらの地域に侵入するのを防ぐためのネットであって、地上に立設された支柱２により垂直方向に支持されている。このネット１は例えば合成繊維よりなる線材を、経緯方向に互いに隙間を形成するように織成されたものである。
【００２０】
また、前記ネット１は、支柱２により鉛直方向に支持されている壁面部３において上下に長さＬ１を有し、下方に開口部４ａを有する筒状部４を、ネット１本体の下端から所定距離Ｌ２だけ上方に位置し、左右に複数並設している。また、前記ネット１本体の、開口部４ａより下側は後に詳述するスカート部５となっている。
【００２１】
図１および、図１においてネット１の長手方向（左右方向）に地面と水平方向に切断したＡ−Ａ線矢視断面図である図２（ａ）に示すように、これらの壁面部３、筒状部４、スカート部５は、表側ネット１１、裏側ネット１２とを、表裏対称に連結部１３で連結して構成している。即ち、連結部１３間が筒状部４となり、連結部１３のない部分がスカート部５となる。
【００２２】
表側ネット１１、裏側ネット１２からなるネット１は、具体的にはダブルラッセル編により形成されている。ダブルラッセル編は、たて編みの一種で、２列の平行なニードルを有するダブルラッセル機によって編網される。ダブルラッセル機は、各ニードル列で単独に網地を編成可能になっており、これらの網地を部分的あるいは全面的に連結することにより、壁面部３に筒状部４を形成する。
【００２３】
前記表側ネット１１、裏側ネット１２は、上記壁面部３と同様に経緯方向に互いに隙間を形成するように織成されている。
【００２４】
壁面部３には、図１においてネット１を連結部１３を含むように鉛直方向に切断したＢ−Ｂ線矢視断面図となる図２（ｂ）に示すように、結合部１３により表側ネット１１、裏側ネット１２とが結合された部分を有する。
【００２５】
この結合部１３では、図１に示すように、網目の粗い格子状部分３ａとなっており、連結部１３間の筒状部４では、格子状部分３ａよりも網目の細かい格子状部分となっている。そして、これらがネット１の左右方向に沿って交互に並んでいる。
【００２６】
これらの網目の細かさの違いは、垂直方向に延びる線材群１ａ同士の間隔を、網目の粗い格子状部分３ａと筒状部４とで異ならせることにより形成されている。
【００２７】
これは、筒状部４が、壁面部３を垂直方向に支持する際地上に立設された支柱２が挿通される部位であることから、支柱２が筒状部４の網目を突き抜けて露出してしまうことを防止するためである。
【００２８】
結合部１３の間では、左右方向に延びる線材群１ｂは、図３にも示すように、非結合領域においては、表側ネット１１、裏側ネット１２の２つの線材群１ｂ１、１ｂ２に分かれて環状部Ｃを形成している。
【００２９】
さらに、前記環状部Ｃでは、線材群１ｂ１と直交する表側ネット１１の線材群１ａと、線材群１ｂ２と直交する裏側ネット１２の線材群１ａが、壁面部３の表裏方向に互いが離反可能である。
【００３０】
一方、図１において、ネット１の一端側に位置する線材群１ｂ３は、前記環状部Ｃが形成されず、終始１本の結束した線材群であり、これに線材群１ａが織り込まれていることにより、筒状部４の開口部４ａと異なる端部は、支柱２の突き当たり部分となる頭部４ｂとなっている。
【００３１】
以上の構成により、筒状部４を、例えばビニール等の別素材からなる袋体で形成することなく、線材群同士の織成のみによって構成することができるため、ネット１の製造コストを低減することができる。
【００３２】
前記ネット１は、上側約８割（約８０ｃｍ）を壁面部３、下側約２割（約２０ｃｍ）をスカート部５に設定し、壁面高さに合わせて筒状部４を形成している。
【００３３】
前記スカート部５は、支柱２によって垂直方向に支持された壁面部３の下端部から裾が広がって地上を這う部分となる。このスカート部５を地上に這わせると、獣が敷地内に侵入しようとしてネットに近づいたとしても、スカート部５に獣の足が絡まるため、獣をネット１から遠ざけることができる。
【００３４】
ここで、ネット１を配置している地面がぬかるみ等で凹凸形状になっており、ネット１（スカート部５）に一部宙に浮いた部分があったとすると、獣が足をスカート部５に引っ掛けた時、張力が過剰に付与される等してネット１は激しく揺れる。このネット１の激しい揺れは、獣に対して驚きや恐怖心、警戒心等を与えることができる。従って、同じ獣が再びネット１近づくことを効果的に防止することができる。
【００３５】
また、地面を掘ることを得意とする獣が、敷地周辺の地面を掘り返そうとしても、これがスカート部５により阻止される。従って、これらの獣がネット１の下方にくぐり抜け用の通路を形成することを防止できる。
【００３６】
また、スカート部５は、図１に示すように、スカート部５は、開口部４ａより下側のネット１本体の部分に、ネット１本体の表裏側に互いが離反可能な第１スカート部５ａ、第２スカート部５ｂから構成されている。
【００３７】
第１、第２スカート部５ａ、５ｂは、壁面部３に連続して形成され、筒状部４の開口部４ａより下方位置でそれぞれ壁面部３の表裏側に分離して形成されている。
【００３８】
また、筒状部４は、図１においてネット１を筒状部４を含むように鉛直方向に切断したＣ−Ｃ線矢視断面図となる図２（ｃ）にも示すように、壁面部３の表側において、上端より所定距離下方の位置で筒状部４の横幅全体にわたって開口された第２開口部４ｃを有しており、該第２開口部４ｃと、前記底部４ｂとの間の筒状部４の部分は、支柱２の先端を被覆するためのポケット部４ｅが形成される。
【００３９】
第２開口部４ｃの縁部の線材群１ｂ１、１ａの部分は、図４に示すように他の線材群と異なる着色が施されたマーキング部４ｄとなっている。ここで、図４等において、第２開口部４ｃを便宜上空白にして図示しているが、これは、第２開口部４ｃの形状を明確にするためであり、実際は、壁面部３の裏側には、筒状部４を構成する線材群１ａが図面上下方向に通されている。
【００４０】
ところで、前記第１スカート部５ａ、第２スカート部５ｂにおいても、環状部Ｃと同様にして、壁面部３を構成する線材群１ｂ、１ａが２つの線材群に分かれていることにより、互いが壁面部３の裏表側に分離している。
【００４１】
なお、ネット１においては、図１に示すように、壁面部３の上端（ポケット部４ｅの頭部４ｂの上側）、中間部、第１（第２）スカート部５ａ（５ｂ）の下端にそれぞれ、線材群１ａ、１ｂよりも太径の補強ロープ１５を左右方向に延在させるようにしてもよい。これにより、獣が壁面部３に突進した場合や、獣が爪でスカート部５を引っ掻く等した場合に対する耐久力の向上に寄与する。
【００４２】
ここで、前記補強用ロープ１５が延在する補強用ロープ挿通部１６は、左右方向に延びる各線材群１ｂ間の１区間において、表側ネット１１左右方向の全幅にわたって上下方向の各線材群１ａ間が、筒状部４と同等の細かい網目とされている。補強用ロープ１５は、複数（例えば４本）の線材が束ねられた線材群１ａの各線材間（例えば２本を１束としてそれらの間）を通され支持される。
【００４３】
図５乃至図７を用いて、複数本の支柱２を使ってネット１を取付ける際の作業手順を説明する。作業者は、ネット１の設置位置を決定すると、先ず、図５の斜視図に示すように、ネット１の右端または左端に形成された筒状部４に挿通した状態の支柱２を位置決めする（図５の工程イ）。この時、支柱２の上方側先端部は、図示の如く第２開口部４ｃから露出させた状態とし、ここでは支柱２の先端部をポケット部４ｅから外しておく。
【００４４】
次に、支柱２を立てた状態のまま、該支柱２の地上に露出した部分の長さが、筒状部４の長さＬ１、即ち壁面部３の高さに合うように上方から地面に支柱２を打ち込み、支柱２を立設する（図５の工程ロ）。ここまでの工程により、ネット１の一端側の位置が固定されたことになる。
【００４５】
ここで、支柱２の上方側先端部を筒状部４から外し、図示の如く第２開口部４ｃから露出させるのは、支柱２の打ち込み作業の際、ネット１の、線材群１ｂ３等がハンマー等で打ち付けられて損傷するのを防ぐためである。
【００４６】
また、第２開口部４ｃの縁部が図４に示すように、他と異なる着色を施されていることにより、支柱２先端部をポケット部４ｅから外す作業や、後述の、支柱２先端部をポケット部４ｅで被せる作業を行う際、第２開口部４ｃの位置を認識する目印とすることができ、素早く第２開口部４ｃを見つけることにより作業性を向上させることができる。
【００４７】
次に、２本目の支柱２を立設させる工程に入るが、前記工程イと同様に、先ず、前記筒状部４とは異なる筒状部４に２本目の支柱２を挿通させる（図５の工程ハ）。
【００４８】
１本目の支柱２により、ネット１の一端側が固定されているため、ここで作業者は、筒状部４に挿通された支柱２を、ネット１の長手方向に沿って強く引っ張りつつ、２本目の支柱の立設位置を決定し、工程イと同様に、筒状部４に挿通した状態の支柱２を２本目の立設位置にて立て位置決めする（図６の工程ニ）。この時も、支柱２の上方側先端部は、図示の如く第２開口部４ｃから露出させた状態とし、ここでは支柱２の先端部をポケット部４ｅから外しておく。
【００４９】
前記２本目の支柱２を立てた状態のまま、該支柱２の地上に露出した部分の長さが、筒状部４の長さＬ１、即ち壁面部３の高さに合うように、上方から地面に支柱２を打ち込み、２本目の支柱２の立設を完了させる（図６の工程ホ）。
【００５０】
以上で述べた工程イ乃至ホを、２本目の支柱２と３本目の支柱２との間、３本目の支柱２と４本目の支柱２との間…で繰り返すことにより、全ての支柱２において地上に露出する長さが壁面部３の高さ（筒状部４の長さ）Ｌ１に合った長さとなる。
【００５１】
ここで、前記各支柱２は、該支柱２により支持されるネット１が畑等の領域を囲繞できるように並べて立設される。
【００５２】
従って、図７に示すように、全ての支柱２の上方側先端部に対して、ポケット部４ｅを被せた時、このポケット部４ｅにより、支柱２の上方側先端部が頭部４ｂを支持されるため、ネット１が下方にずれ落ちないようになっており、図１に示したように、全ての支柱２において、壁面部３の下方端部、筒状部４の開口部４の高さ位置を略地面の高さに合わせることができる（図７の工程ヘ）。
【００５３】
即ち、作業者は、筒状部４に支柱２を挿入するという簡単な作業でネットの支柱２への取付けを完了できる。
【００５４】
さらに、地上に露出させる支柱２の長さを、筒状部４の長手方向の長さＬ１に合わせることにより、地上を這う部分となるスカート部５の幅を、ネット１本体の下端からの所定距離の幅Ｌ２とすることが容易にできる。
【００５５】
従って、スカート部５の幅が適切な長さよりも短くなってしまったり、支柱２毎にスカート部５の幅が異なる等の不備を防止し、常に一定の幅を形成することが容易にできる。またこの結果として、支柱２への取付け作業の作業性も向上する。
【００５６】
また、前記工程ニ、ホにおいて、ネット１の長手方向に沿って引っ張った状態のまま支柱２の打ち込み作業を行うことができるため、支柱２で支持された状態のネット１は、その壁面部３が左右方向において適切な張力が付与された状態である。これにより、獣の突進に対しても強力な耐久力を発揮することができる。
【００５７】
また、壁面部３の表裏側方向に互いが離反可能に第１スカート部５ａ、第２スカート部５ｂを形成していることにより、獣の侵入を阻止すべき敷地の側を向いているのがネット１の表裏のいずれであっても、敷地の外側にスカート部５を配置することができる。このため、ネット１の表裏面の向きを気にすることなく作業を行うことができる。
【００５８】
また、敷地側に配置されたスカート部５の片側については、例えば、敷地内で盛土して埋めることもできる。この場合、外側のスカート部を仮に獣がくぐり抜けてしまったとしても、埋められた敷地側のスカート部により侵入が阻止されるため、１枚のネット１で二重の防護策を施すことができる。
【００５９】
なお、前記第１、第２スカート部５ａ、５ｂについて、場合によっては、互いの幅が異なるように形成してもよいし、片側のみに形成したものであってもよい。この場合でも、畑等の外側にスカート部を這わせることで獣の侵入を防ぐことができる。
【００６０】
また、筒状部４のネット１長手方向の間隔は、図１に示す支柱２が立設される間隔よりも短い間隔で形成していてもよい。これにより、既に支柱が打ち込まれており、それらの間隔がいかなる長さであっても柔軟に対応することができる。また、凹凸の起伏が激しい地形等に対しても柔軟に対応することができる。
【００６１】
さらにまた、支柱２がポケット部４ｅに被覆された際、支柱２に対する頭部４ｂの位置がずれないように、適宜のキャップ部材をポケット部４ｅおよび支柱２の上から被せて位置を固定するようにしてもよい。
【００６２】
また、上述した実施形態では、ネット１を支持する全ての支柱２を立設した後に支柱２の上方側先端部に対して、ポケット部４ｅを被せる工程としているが、これに限らず、支柱２を１本立設する毎に、支柱２の上方側先端部にポケット部４ｅを逐一被せるようにしてもよい。
【００６３】
この発明の構成と、上述の実施形態との対応において、
この発明の縁部は、マーキング部４ｄに対応するも、
この発明は、上述の実施形態の構成のみに限定されるものではなく、多くの実施の形態を得ることができる。
【図面の簡単な説明】
【００６４】
【図１】防獣ネットが支柱により支持された状態を示す斜視図。
【図２】図１における（ａ）Ａ−Ａ線矢視断面図、（ｂ）Ｂ−Ｂ線矢視断面図（ｂ）Ｃ−Ｃ線矢視断面図。
【図３】筒状部を構成する線材群の構成を示す拡大図。
【図４】第２開口部、マーキング部を示す拡大図。
【図５】防獣ネットを支柱により支持するための作業手順を示す説明図。
【図６】防獣ネットを支柱により支持するための作業手順を示す説明図。
【図７】防獣ネットを支柱により支持するための作業手順を示す説明図。
【符号の説明】
【００６５】
１…防獣ネット
３…壁面部
４…筒状部
４ａ…開口部
４ｃ…第２開口部
４ｅ…第２開口部
５…スカート部
Ｃ…環状部
【図１】
2007074973.tif 000003
【図２】
2007074973.tif 000004
【図３】
2007074973.tif 000005
【図４】
2007074973.tif 000006
【図５】
2007074973.tif 000007
【図６】
2007074973.tif 000008
【図７】
2007074973.tif 000009